(57)【要約】【課題】起動性を向上しつつ省電力化を図る。【解決手段】ＲＴＣ１５は、スタンバイ開始時刻、スタンバイ終了時刻において、トリガを発生させ、ＣＰＵ１９に供給する。ＣＰＵ１９は、このトリガが供給されると、スタンバイ開始時刻を判別し、カメラ部１１に電流が供給されるように制御する電流制御信号を電源制御部１２に供給し、カメラモードをカメラスタンバイモードに移行させる。カメラ起動キーが押下されると、ＣＰＵ１９はカメラモードをカメラ動作モードに移行させ、シャッターキーが押下されると、撮影データを取得するようにカメラ部１１を制御する。ＣＰＵ１９は、スタンバイ終了時刻と判別するとカメラ部１１への電流供給を停止させる電流制御信号を電源制御部１２に供給する。【選択図】図１
2011066765.tif 000002
【特許請求の範囲】
【請求項１】
電流が供給されて撮影待機し、撮影制御されたときに撮影による撮影データを取得する撮影部と、
電流供給制御信号が供給されて、前記撮影部に電流を供給する電源制御部と、
予め設定された撮影待機開始時刻から撮影待機終了時刻までの間、前記電流供給制御信号を前記電源制御部に供給する制御部と、を備えた、
ことを特徴とする電子機器。
【請求項２】
時刻を計時して、前記撮影待機開始時刻と撮影待機終了時刻を前記制御部に通知する時刻通知部を備えた、
ことを特徴とする請求項１に記載の電子機器。
【請求項３】
電流が供給されて撮影待機し、撮影制御されたときに撮影による撮影データを取得する撮影部と、電流供給制御信号が供給されて、前記撮影部に電流を供給する電源制御部と、備えた電子機器の制御方法であって、
予め設定された撮影待機開始時刻から撮影待機終了時刻までの間、前記電流供給制御信号を前記電源制御部に供給する、
ことを特徴とする電子機器の制御方法。
【発明の詳細な説明】
【技術分野】
【０００１】
本発明は、電子機器及び電子機器の制御方法に関するものである。
【背景技術】
【０００２】
電子機器として、ユーザの筐体への接触検出用の静電センサ、姿勢検出用の角速度センサ等を備え、ユーザが筐体に接触したとき、あるいは、姿勢が変化したときに電源を投入して、起動性を向上させつつ省電力化を両立させるようにしたデジタルカメラがある（例えば、特許文献１参照）。
【先行技術文献】
【特許文献】
【０００３】
【特許文献１】特開２００６−３１９８９５号公報（第５頁、図１）
【発明の概要】
【発明が解決しようとする課題】
【０００４】
近年、電子機器として、カメラが搭載された携帯電話が多くなっている。このような携帯電話でもカメラの起動性を向上させつつ省電力化を図る必要がある。しかし、従来の携帯電話では、カメラが未使用のときは、バッテリの消耗を抑えるため省電力化に重点を置いたカメラ制御が行われている。このため、カメラの起動に時間がかかってしまい、シャッターチャンスを逃してしまうおそれがある。
【０００５】
一方、携帯電話は、特許文献１に記載されたデジタルカメラとは異なり、通信機能、通話機能、ゲーム機能等が備えられて、多機能化している。このような携帯電話では、特許文献１に記載されているような制御を行ったのでは、ユーザが携帯電話の筐体に触れる毎に、また、姿勢を変化させる毎に、電源が投入されてしまい、省電力化を図ることができない。
【０００６】
本発明は、このような従来の問題点に鑑みてなされたもので、起動性を向上させることが可能な電子機器及び電子機器の制御方法を提供することを目的とする。また、本発明は、省電力化を図ることが可能な電子機器及び電子機器の制御方法を提供することを目的とする。
【課題を解決するための手段】
【０００７】
この目的を達成するため、本発明の第１の観点に係る電子機器は、
電流が供給されて撮影待機し、撮影制御されたときに撮影による撮影データを取得する撮影部と、
電流供給制御信号が供給されて、前記撮影部に電流を供給する電源制御部と、
予め設定された撮影待機開始時刻から撮影待機終了時刻までの間、前記電流供給制御信号を前記電源制御部に供給する制御部と、を備えたことを特徴とする。
【０００８】
本発明の第２の観点に係る電子機器の制御方法は、
電流が供給されて撮影待機し、撮影制御されたときに撮影による撮影データを取得する撮影部と、電流供給制御信号が供給されて、前記撮影部に電流を供給する電源制御部と、備えた電子機器の制御方法であって、
予め設定された撮影待機開始時刻から撮影待機終了時刻までの間、前記電流供給制御信号を前記電源制御部に供給することを特徴とする。
【発明の効果】
【０００９】
本発明によれば、起動性を向上させることができる。また、省電力化を図ることができる。
【図面の簡単な説明】
【００１０】
【図１】本発明の実施形態に係る携帯電話（電子機器）の構成を示すブロック図である。
【図２】図１に示す携帯電話の例として、折り畳み式携帯電話の外観を示す図であり、（ａ），（ｂ）は、それぞれ、開いた状態の携帯電話の表面、裏面を示す。
【図３】図１に示すＣＰＵが実行するカメラ制御処理を示すフローチャートである。
【図４】カメラ制御処理の具体的動作を示すタイミングチャートである。
【図５】携帯電話の応用例を示すブロック図である。
【発明を実施するための形態】
【００１１】
以下、本発明の実施形態に係る電子機器を図面を参照して説明する。尚、本実施形態では、電子機器をカメラ機能を搭載した多機能の携帯電話として説明する。
【００１２】
本実施形態に係る携帯電話１は、図１に示すように、カメラ部１１と、電源制御部１２と、ディスプレイ１３と、キー入力部１４と、ＲＴＣ１５と、ＲＯＭ１６と、ＲＡＭ１７と、データ保存用メモリ１８と、ＣＰＵ１９と、を備える。
【００１３】
図２は、この携帯電話１の例として、上側筐体１ａと下側筐体１ｂとに分かれた折り畳み式携帯電話の外観を示すものであり、図２（ａ）、（ｂ）は、それぞれ、携帯電話１の表（おもて）面、裏面を示す。
【００１４】
図１に示すカメラ部１１は、ＣＰＵ１９により撮影制御されたときに撮影による撮影データを取得するものであり、ＣＣＤ（Charge Coupled Device Image Sensor）又はＣＭＯＳ（Complementary Metal Oxide Semiconductor）等の撮像素子（図示せず）、図２（ｂ）に示すカメラレンズ１１ａ等を備える。カメラレンズ１１ａは、下側筐体１ｂの裏面に配置される。
【００１５】
尚、本実施形態において、カメラ部１１に関するカメラモードには、カメラスタンバイモードとカメラ動作モードとがある。カメラスタンバイモード（撮影待機モード）は、カメラ部１１が短時間で起動するように待機させるモードであり、カメラ動作モードは、スルー画像をディスプレイ１３に表示し、シャッターキーが押下されたときに撮影データを取得できるようにするモードである。
【００１６】
カメラ部１１は、電源制御部１２から電流が供給されてカメラスタンバイモードに移行し、カメラ動作モードにおいて、シャッターキーが押下されたときにＣＰＵ１９に制御されて撮影データを取得する。そして、カメラ部１１は、取得した撮影データをＣＰＵ１９に転送する。
【００１７】
本実施形態では、予め設定された時間帯で、カメラモードがカメラスタンバイモードに移行するように構成されている。
【００１８】
電源制御部１２は、ＣＰＵ１９から電流制御信号が供給されて、カメラ部１１への電流供給を制御するものである。電源制御部１２は、ＣＰＵ１９から電流制御信号Ctrl[on]が供給されると、カメラ部１１に必要最小限の電流を供給し、電流制御信号Ctrl[off]が供給されると、カメラ部１１への電流の供給を停止する。
【００１９】
ディスプレイ１３は、文字、映像等を表示するものであり、例えば、ＬＣＤ（Liquid Crystal Display）、ＬＥＤ（Light Emitting Diode）、有機ＥＬ（Electro Luminescence）素子によって構成されたドットマトリクスタイプのものである。
【００２０】
ディスプレイ１３は、図２（ａ）に示すように、上側筐体１ａの表面に配置され、ＣＰＵ１９から撮影データが供給されると、この撮影データに基づく映像を表示する。
【００２１】
キー入力部１４は、図２（ａ）に示す電源キー３１、キーボード３２、カメラ起動キー３３、カーソルキー３４等からなるものである。
【００２２】
電源キー３１は、携帯電話１の電源をオン、オフするためのものである。キーボード３２はテンキー等を備え、通話時に電話番号を入力したり通信時に文字等を入力したりするためのものである。
【００２３】
カメラ起動キー３３は、カメラ部１１を起動するためのキーである。カーソルキー３４は、ディスプレイ１３に表示された項目を切り替えて選択するためのキーである。
【００２４】
カーソルキー３４は、上キー、下キー、右キー、左キーと、セットキー３４ｓと、を備えたものである。上キー、下キー、右キー、左キーは、それぞれ、ディスプレイ１３に表示されたカーソルを上下左右に移動させるためのキーであり、セットキー３４ｓは、カーソルによって指定された項目を選択するためのキーである。
【００２５】
カメラ起動キー３３が押下されてカメラ部１１が起動されたとき、セットキー３４ｓは、シャッターキーとして機能する。
【００２６】
キー入力部１４は、ユーザが各種キー等を操作して入力された入力情報を受け付けて、受け付けた入力情報をＣＰＵ１９に通知する。
【００２７】
尚、携帯電話１は、図２（ａ），（ｂ）に示すように、この他にも、音声を入力するマイク３５、音声を出力するスピーカ３６を備え、さらに、通信、通話を行うためのアンテナ、通信部（図示せず）を備える。
【００２８】
ＲＴＣ１５は、カメラ部１１がすぐに起動するように、（カメラ）スタンバイ開始時刻ｔstartと（カメラ）スタンバイ終了時間ｔendとをＣＰＵ１９に通知するためのものである。
【００２９】
このスタンバイ開始時刻ｔstartは、カメラ部１１への電流供給が停止している状態から、カメラモードをカメラスタンバイモードに移行させる撮影待機開始時刻であり、スタンバイ終了時刻ｔendは、カメラスタンバイモードを解除して、元に戻す撮影待機終了時刻である。尚、スタンバイ開始時刻ｔstartからスタンバイ終了時刻ｔendまでの期間は、撮影が行われる可能性が大きい時間帯に、予め、設定される。
【００３０】
ＲＴＣ１５は、時刻を計時する時計機能を有する。そして、ＲＴＣ１５は、スタンバイ開始時刻ｔstartとスタンバイ終了時刻ｔendとでトリガＴrgを発生させ、このトリガＴrgをＣＰＵ１９に供給する。
【００３１】
ＲＯＭ（Read Only Memory）１６は、ＣＰＵ１９が処理を実行するための制御用プログラムのデータを格納するものである。
【００３２】
ＲＡＭ（Random Access Memory）１７は、ＣＰＵ１９がプログラムの作業用メモリとして使用するためのものである。
【００３３】
データ保存用メモリ１８は、撮影データを保存するものである。データ保存用メモリ１８には、例えば、フラッシュメモリなどの不揮発性メモリ、ＲＡＭ１７等による内部メモリ、外部記録メディアが用いられる。
【００３４】
ＣＰＵ（Central Processing Unit）１９は、携帯電話１の各部と接続され、ＲＯＭ１６に記憶された制御用プログラムに従って各部を制御することにより各種機能を実現するものである。
【００３５】
ＣＰＵ１９は、ＲＴＣ１５からトリガＴrgが供給されると、このトリガＴrgを受け付けてスタンバイ開始時刻ｔstartかスタンバイ終了時刻ｔendかを判別する。
【００３６】
ＣＰＵ１９は、スタンバイ終了時刻ｔendの後にＲＴＣ１５からトリガＴrgが供給されると、トリガＴrgが供給された時刻をスタンバイ開始時刻ｔstartと判別し、スタンバイ開始時刻ｔstartの後にＲＴＣ１５からトリガＴrgが供給されると、トリガＴrgが供給された時刻をスタンバイ終了時刻ｔendと判別する。
【００３７】
ＣＰＵ１９は、スタンバイ開始時刻ｔstartと判別したとき、カメラ部１１に電流が供給されるように、電流制御信号Ctrl[on]を電源制御部１２に供給し、カメラモードをカメラスタンバイモードに移行させる。
【００３８】
また、ＣＰＵ１９は、このカメラスタンバイモードにおいて、ＲＡＭ１７内の撮影処理用の作業領域を確保し、周辺回路（図示せず）の設定を行う。
【００３９】
尚、カメラモードをカメラスタンバイモードに移行させたときに他の部が動作している場合、ＣＰＵ１９は、ディスプレイ１３にアラーム表示を行う等により、カメラモードがカメラスタンバイモードであることをユーザに警告することも可能である。
【００４０】
ＣＰＵ１９は、スタンバイ終了時刻ｔendと判別したとき、カメラ部１１への電流供給が停止するように、電流制御信号Ctrl[off]を電源制御部１２に供給し、確保したＲＡＭ１７内の撮影処理用の作業領域を解放し、周辺回路の設定を解除してカメラスタンバイモードを解除する。
【００４１】
ＣＰＵ１９は、また、キー入力部１４から供給された入力情報に基づいて各部を制御する。例えば、ＣＰＵ１９は、キー入力部１４から、カメラ起動キー３３が押下された旨の入力情報が供給されると、カメラモードをカメラ動作モードに移行させる。
【００４２】
即ち、ＣＰＵ１９は、スルー画像の撮影データを取得するようにカメラ部１１を制御し、取得した撮影データをディスプレイ１３に供給して、スルー画像を表示させる。
【００４３】
そして、ＣＰＵ１９は、このカメラ動作モードにおいて、キー入力部１４から、セットキー３４ｓが押下された旨の入力情報が供給されたとき、シャッターキーが押下されたと判定し、このときの撮影データを取得するようにカメラ部１１を制御する。また、ＣＰＵ１９は、この撮影データをデータ保存用メモリ１８に保存する。
【００４４】
尚、キー入力部１４から、再び、カメラ起動キー３３が押下された旨の入力情報が供給されたとき、ＣＰＵ１９は、カメラ動作を継続しないものと判定し、カメラ動作モードを解除し、カメラスタンバイモードに戻す。
【００４５】
また、ＣＰＵ１９は、キー操作が行われた旨の入力情報が供給された後、予め設定された時間が経過するまでの間、キー入力部１４から入力情報が供給されなかったときは、カメラ動作を継続しないものと判定して、カメラ動作モードを解除し、カメラスタンバイモードに戻す。
【００４６】
次に本実施形態に係る携帯電話１の動作を説明する。
ＣＰＵ１９は、ＲＴＣ１５からトリガＴrgが供給され、スタンバイ開始時刻ｔstartと判別すると、ＲＯＭ１６から制御プログラムデータを読み出して、図３に示すカメラ制御処理を実行する。
【００４７】
ＣＰＵ１９は、カメラモードをカメラスタンバイモードに移行させる（ステップＳ１１）。
【００４８】
ＣＰＵ１９は、キー入力部１４からの入力情報に基づいてカメラ起動の要求があったか否かを判定する（ステップＳ１２）。
【００４９】
カメラ起動の要求がなかったと判定した場合（ステップＳ１２；Ｎｏ）、ＣＰＵ１９は、スタンバイ終了時刻ｔendか否かを判定する（ステップＳ１３）。
【００５０】
スタンバイ終了時刻ｔendではないと判定した場合（ステップＳ１３；Ｎｏ）、ＣＰＵ１９は、再度、カメラモードをカメラスタンバイモードに移行させ、再度、カメラ起動の要求があったか否かを判定する（ステップＳ１１，Ｓ１２）。
【００５１】
カメラ起動の要求があったと判定した場合（ステップＳ１２；Ｙｅｓ）、ＣＰＵ１９は、カメラモードをカメラ動作モードに移行させる（ステップＳ１４）。
【００５２】
ＣＰＵ１９は、シャッターキーが押下されたか否かを判定する（ステップＳ１５）。
【００５３】
シャッターキーが押下されたと判定した場合（ステップＳ１５；Ｙｅｓ）、ＣＰＵ１９は、撮影処理を実行する（ステップＳ１６）。
【００５４】
ＣＰＵ１９は、カメラ動作を継続するか否かを判定する（ステップＳ１７）。
カメラ動作を継続すると判定した場合（ステップＳ１７；Ｙｅｓ）、ＣＰＵ１９は、再度、シャッターキーが押下されたか否かを判定する（ステップＳ１５）。
【００５５】
シャッターキーが押下されなかったと判定した場合（ステップＳ１５；Ｎｏ）、ＣＰＵ１９は、撮影処理を実行せずにカメラ動作を継続するか否かを判定する（ステップＳ１７）。
【００５６】
カメラ動作を継続しないと判定した場合（ステップＳ１７；Ｎｏ）、ＣＰＵ１９は、スタンバイ終了時刻ｔendか否かを判定する（ステップＳ１３）。
【００５７】
スタンバイ終了時刻ｔendと判定した場合（ステップＳ１３；Ｙｅｓ）、ＣＰＵ１９は、カメラスタンバイモードを解除し（ステップＳ１８）、このカメラ制御処理を終了させる。
【００５８】
次に、このカメラ制御処理を図４に示すタイミングチャートを用いて具体的に説明する。
スタンバイ終了時刻ｔendの後の時刻ｔ１１において、ＲＴＣ１５からトリガＴrgが供給されると、ＣＰＵ１９は、時刻ｔ１１がスタンバイ開始時刻ｔstartと判別する。
【００５９】
ＣＰＵ１９が、カメラモードをカメラスタンバイモードに移行させると（ステップＳ１１）、カメラ部１１は、電源制御部１２から必要最小限の電流が供給され、短時間で起動可能となる。また、ＣＰＵ１９により、ＲＡＭ１７内のカメラ動作の作業領域も確保され、周辺回路の設定も行われる。
【００６０】
ユーザがカメラ起動キー３３を押下すると、カメラモードはカメラ動作モードに移行する（ステップＳ１４）。カメラ部１１は、ＣＰＵ１９によって制御されて起動し、スルー映像の撮影データを取り込む。ディスプレイ１３は、この撮影データに基づいたスルー画像を表示する。
【００６１】
ユーザが、カメラ動作モードにおいて、セットキー３４ｓを押下すると、ＣＰＵ１９は、シャッタ−キーが押下されたと判定し、撮影処理を行う（ステップＳ１５；Ｙｅｓ、ステップＳ１６）。
【００６２】
カメラ部１１は、ＣＰＵ１９によって制御されて撮影画像の撮影データを取り込む。ＣＰＵ１９は、取り込んだ撮影データを取得してディスプレイ１３に供給し、ディスプレイ１３は、この撮影画像を表示する。また、データ保存用メモリ１８は、この撮影データを保存する。
【００６３】
時刻ｔ１２において、ＲＴＣ１５がトリガＴrgを発生させて、ＣＰＵ１９に供給すると、ＣＰＵ１９は、スタンバイ終了時刻ｔendと判定し（ステップＳ１３；Ｙｅｓ）、電流制御信号Ctrl[off]を電源制御部１２に供給する（ステップＳ１８）。
【００６４】
電源制御部１２は、ＣＰＵ１９から電流制御信号Ctrl[off]が供給されて、カメラ部１１への電流の供給が停止される。
【００６５】
以上説明したように、本実施形態によれば、スタンバイ開始時刻ｔstartからスタンバイ終了時刻ｔendまでの予め設定された時間帯では、カメラ部１１に必要最小限の電流を供給するようにして、カメラモードをカメラスタンバイモードに移行させるようにした。
【００６６】
従って、カメラ部１１をスタンバイさせる時間帯をあらかじめ設定しておくことにより、この時間帯では、カメラ部１１を短時間で起動させることができ、シャッターチャンスを逃さずに高速に起動させることが可能となる。
【００６７】
また、スタンバイ終了時刻ｔendになったときは、カメラ部１１への電流供給を停止させるようにした。従って、カメラ部１１をスタンバイさせない時間帯では、消費電流を低減させることができる。このため、起動性を向上させつつ省電力化を図ることができる。
【００６８】
尚、本発明を実施するにあたっては、種々の形態が考えられ、上記実施形態に限られるものではない。
例えば、上記実施形態では、カメラ起動キー３３を押下したときに、カメラ動作モードに移行するようにした。しかし、携帯電話１を構えるだけでカメラ部１１を瞬時に起動させることも可能である。
【００６９】
この場合、携帯電話１は、図５に示すように状態判定部２０を備える。状態判定部２０は、携帯電話１を構えた状態を判定するものである。この状態判定部２０は、例えば、加速度センサを備え、加速度センサが検出した地上からの高さに基づいて、携帯電話１を撮影のために構えた状態か否かを判定する。
【００７０】
上記実施形態では、ＲＴＣ１５は、スタンバイ開始時刻ｔstart、スタンバイ終了時刻ｔendで同じ信号レベルのトリガＴrgを発生させるようにした。しかし、このトリガＴrgの信号レベルを、スタンバイ開始時刻ｔstartとスタンバイ終了時刻ｔendとで異なるようにしてもよい。このようにすれば、ＣＰＵ１９は、このトリガＴrgの信号レベルに基づいてスタンバイ開始時刻ｔstartとスタンバイ終了時刻ｔendとを判別できるようになる。
【００７１】
上記実施形態では、スタンバイ開始時刻ｔstartとスタンバイ終了時刻ｔendとを固定した時刻として説明した。しかし、メニューでスタンバイ開始時刻ｔstartとスタンバイ終了時刻ｔendとを手動で予め設定するようにしてもよい。
【００７２】
上記実施形態では、携帯電話１がＲＴＣ１５を備えるものとして説明した。しかし、ＣＰＵ１９が計時してスタンバイ開始時刻ｔstartとスタンバイ終了時刻ｔendとを判別するようにしてもよい。
【００７３】
携帯電話１の形状は、図２に示すようなものに限られるものではなく、また、キーの配置、機能等もこの実施形態には限定されるものではない。
【００７４】
上記実施形態では、電子機器を携帯電話１として説明した。しかし、電子機器は、携帯電話１に限られるものではなく、例えば、ＰＤＡ（Personal Digital Assistant）、カメラ付きコンピュータであってもよい。さらに、電子機器は、デジタルカメラであってもよい。
【符号の説明】
【００７５】
１  携帯電話
１１  カメラ部
１２  電源制御部
１３  ディスプレイ
１４  キー入力部
１５  ＲＴＣ
１９  ＣＰＵ
３３  カメラ起動キー
３４ｓ  セットキー
【図１】
2011066765.tif 000003
【図２】
2011066765.tif 000004
【図３】
2011066765.tif 000005
【図４】
2011066765.tif 000006
【図５】
2011066765.tif 000007